Podtech/llm-jp-corpus-v4-ja_patent huggingface dataset:
(57)【要約】      （修正有）【課題】本発明は、一般家庭において、従来足湯等をする時には、大きめのタライの様な容器をしようしたりしている。その場合、バケツや洗面器などで数回お湯を汲み、容器も複数使用しなければならない。また、注水の際には、多少のお湯がこぼれたりして、回りを濡らしてしまうという事が起きるなどと、準備をするだけで大変な手間や時間がかかり場所もとるうえ、お湯の温度も下がりやすい。【解決手段】四角型の本体１に手持ち部分２を設ける。本体の内側全面３は金属製加工等を施す。つま先側に部分的に載せるだけの蓋４をつける。【選択図】  図１
2006305253.tif 000002
【特許請求の範囲】
【請求項１】
足専用の簡易的な浴槽。（容器）
【請求項２】
請求項１に、内側全面は湯又は水の温度を保つために金属製加工を施し、つま先側部分に乗せるだけの蓋を付ける。
【請求項３】
請求項１に、注排水に便利なバケツ型またはトレー型の手持ち部分を設けたフットケア及びリラクゼーション用のコンパクトな足専用浴槽。（容器）
【発明の詳細な説明】
【発明の詳細な説明】
【技術分野】
【０００１】  この発明は、足を暖めて血行を良くし、冷え性や疲労回復に行う、足湯のための足専用の浴槽（容器）である。また、スポーツや肉体疲労の足の疲労回復や捻挫などの怪我にはアイシング用として活用できる。
【背景技術】
【０００２】  最近はマイナスイオンが発生し、マッサージ機能や殺菌消毒のできるコンパクトで画期的な電化製品のフットケア商品があるが、そのような商品を使用する以外で、一般家庭において、従来足湯等をする時には、大きめのタライの様な容器を使用したりしている。その場合バケツや洗面器などで数回お湯を汲み、容器も複数使用しなければならない。また、注水の際に多少回りを濡らしてしまうなどと準備をするだけで大変な手間や時間がかかり、場所もとるうえ、お湯の温度も下がりやすい。
【発明の開示】
【発明が解決しようする課題】
【０００３】  本発明は、以上の問題点を解決し、足湯及びフットケアを容易にできるようになされることを課題とする。
【課題を解決するための手段】
【０００４】  以上の課題を解決するために、持ち運びしやすいように容器に手持ち部分を設ける。
お湯又は水の保温を高めるために、金属製加工等にする。さらに、つま先側部分に蓋を付け、さらに保温し、容器の中のお湯や水の飛び跳ねを防ぐ。コンパクトで持ち運びに便利な足専用の浴槽（容器）である。
【発明の効果】
【０００５】  本発明は手間をかけず、場所をとらず、容易に足湯ができる。また保温効果があるのでゆっくりとリラックスして足湯ができる。また、足の疲労や怪我のアイシングとしても活用できる。持ち運びに便利でコンパクト。使用後の手入れも簡単である。
【発明を実施するための最良の形態】
【０００６】  以下、本発明の実施の形態を図１、図２に示す。
（イ）安全で強度のあるプラスチック製の四角型本体（１）に手持ち部分（２）を設け、バケツ型、又はトレー型とする。
（ロ）四角型本体（１）の内側全面（３）は安全で強度のある金属製加工等を施す。
（ハ）四角型本体（１）のつま先側に載せるだけの部分的な蓋（４）を付ける。
（二）その他として、容器の底面のつま先側が上がるように傾斜をつける。
本発明は、以上の構成よりなるフットケア及びリラクゼーション用のコンパクトで持ち運びに便利な足専用の浴槽（容器）である。【０００７】    「実施形態の効果」
本発明を使用する場合は、バケツ型、又はトレー型（２）にすることによって、注排水の作業を直接することができるので、複数の容器を使用することなく、回りを濡らしてしまうことも起きないため、余計な手間がかからない。
また、内側全面（３）を金属製加工等にすることにより、お湯又は水の温度が保温される。さらに（４）の蓋を付けることで、保温効果を高め、又、容器の中のお湯又は水の飛び跳ね防止にもなり、心地良く、ゆっくりと足湯又はフットケアやアイシングができる。【０００８】    「他の実施形態」
図１の実施形態では、内面全面（３）は金属製加工等をしない場合でも良い。
【図面の簡単な説明】
【０００９】
【図１】  本発明の斜視図（バケツ型）
【図２】  本発明の斜視図（トレー型）
【図３】  本発明の断面図
【符号の説明】
（１）本体、（２）手持ち部分、（３）内側面、（４）蓋
【図１】
2006305253.tif 000003
【図２】
2006305253.tif 000004
【図３】
2006305253.tif 000005
(57)【要約】【課題】    視覚障害者用白杖は進行方向に差し出して路面を叩きその音や振動に従って歩行するものだが、これに他の機能を加味できないか。杖先に車輪はどうであろう。どうつけるか、叩く代わりの音はどうするか、を課題とした。【解決手段】    視覚障害者用白杖の先端に、車輪内部に設置した撥羽で中心の固定軸台から突き出る調節された両ピアノ線を弾いて美しい和音や連続音を立てる＜音を出す車輪＞一組を装着すれば杖先を転がすだけで歩行を誘導してくれると同時に周囲の人々まで気持ちを和らげてくれる、と考え解決手段とした。【選択図】    図１
2006305257.tif 000002
【特許請求の範囲】
【請求項１】
視覚障害者用白杖の先端に回転するとき夫々の車輪内部に設置された撥羽が中心の固定軸台から突き出るピアノ線を弾いて音を発する一組の車輪を装着し、杖先を叩かなくても転がすだけで杖保持者の歩行を助けピアノ線の太さや長さの調節により美しい和音や連続音を立て快く誘導してくれると同時に周囲の者にも快く杖保持者の存在を気づかせる＜音を出す車輪＞。
【発明の詳細な説明】
【技術分野】
【０００１】    本発明は、視覚障害者が白杖の先端で路面を叩かなくても転がすだけで音を発して歩行誘導する装置の方式や形式に関する。
【背景技術】
【０００２】    視覚障害者用の白杖は先端を前に差し出して路面を叩いたり探りながら進む歩行補助器具である。
【発明の開示】
【発明が解決しようとする課題】
【０００３】    杖の先端を叩いて音を発したり手に伝わる振動で探りながら進む方式に加える何か良いものはないか。車輪を装着すればよいと考えられるが音も発した方がよりよい。どうやって立てるか。美しい音色でなくては耳障りである。ピアノ線を弾けば快い音が出る。どう取り付けるか。方法は、形は  などを課題とした。
【課題を解決するための手段】
【０００４】    両車輪内部に撥羽を設置し回転する毎に中心の固定軸台から突き出るピアノ線を弾いて音を発する一組の装置を視覚障害者用白杖の先端に装着して杖先を叩かなくても転がすだけで杖保持者の歩行誘導になり、左右美しい和音や連続音を立てて心地好く誘導してくれ周囲の者にも快く杖保持者の存在を気づかせてくれるようにピアノ線の太さや長短を調整する＜音を出す車輪＞を手段とした。
【発明の効果】
【０００５】    本発明は、上述のように構成されているので、次に記載する効果を奏する。
請求項１の白杖先端に取り付ける＜音を出す車輪＞一組は使用者本人だけでなく周囲の人々にも快く注意を喚起するので歩行誘導効果にとどまらず事故防止にも役立った。
【発明を実施するための最良の形態】
【０００５】    発明の実施の形態について図面を参照して説明する。
図１は請求項１の＜音を出す車輪＞一組を視覚障害者の白杖先端に取り付けて使用しているときの角度を示す全体図で、図３の撥羽付車輪（左右同体）と図４の杖止め６、ピアノ線１０の付いた固定軸台７を図５のように組合せ図２に示す見取図のように杖止め６を閉じて取り付け、不必要なときは取り外す。音は図３の（は）及び（に）に示す撥羽９で図４に示すピアノ線１０を弾いて快い和音や連続音を発し誘導する。
【図面の簡単な説明】
【０００６】
【図１】  ＜音を出す車輪＞使用時の角度を示す見取図である。
【図２】  ＜音を出す車輪＞を杖止めで白杖に装着した拡大図。
【図３】  ＜音を出す車輪＞の車輪部分の図で、（い）表面（ろ）側面（は）断面（に）裏面。左右同体。
【図４】  ＜音を出す車輪＞の固定軸台で、（イ）側面（ロ）前面。
【図５】  図３図４の車輪及び固定軸台を組合せた正面図である。
【符号の説明】
【０００７】    １  撥羽付車輪
２  視覚障害者用白杖
３  白杖赤色部分
４  白杖把手部分
５  白杖紐バンド
６  杖止め
７  固定軸台
８  軸受
８’軸
９  撥羽
１０  ピアノ線
（い）  撥羽付車輪表面
（ろ）      同上  側面
（は）      同上  断面
（に）      同上  裏面
（イ）  固定軸台側面
（ロ）  固定軸台前面
【図１】
2006305257.tif 000003
【図２】
2006305257.tif 000004
【図３】
2006305257.tif 000005
【図４】
2006305257.tif 000006
【図５】
2006305257.tif 000007
(57)【要約】【課題】    杖の他に懐中電灯など照明器具を持つことは繁雑である。光源を簡便に持つことはできないか？杖はおおむね褐色であるから暗がりでの存在感に乏しい。白杖でも同じことが言える。解決策はないか？横断歩道歩行時の警告方法は？遭難時における救助信号に代わるものはないか？などを課題とした。【解決手段】  杖を光の透る堅固な素材で中空に成型し、長寿命で消費電力が少なく赤／白交互断続点灯可能な発光ダイオード（Ｒ／Ｗ  ＬＥＤ）モジュール、電池、切り換えスイッチ、赤／白交互断続点灯器を内蔵させて必要に応じ白色点灯、赤／白交互断続点灯することで、足もとの照明、杖の存在明示、横断歩道歩行時の警告、遭難時の救助信号に代わるもの、等の課題を解決した。【選択図】    なし【特許請求の範囲】
【請求項１】
歩行幇助用杖、登山・ハイキング用杖、視覚障害者用白杖などを光の透る堅固な素材で中空に成型し、白色点灯及び赤／白交互断続点灯可能な発光ダイオード（Ｒ／Ｗ  ＬＥＤ）モジュール、電池、赤／白交互断続点灯器、切り換えスイッチを内蔵させ、必要に応じ白色点灯して足もとの照明、保持者の存在明示など危険防止策とし、赤／白交互断続点灯に切り換えて横断歩道歩行時の警告及び遭難時の救助信号とする。
【発明の詳細な説明】
【技術分野】
【０００１】    本発明は、杖を発光させる素材、形式、方式等に関する。
【背景技術】
【０００２】    早朝、曇天、薄暮、夜間などにおける杖をついた歩行者の痛ましい人身事故はあとを絶たない。従来の杖は褐色など暗い色のものが多く、その存在に気づきにくいのが理由の一つであろう。白色の杖でも暗いところでは同様である。
【発明の開示】
【発明が解決しようとする課題】
【０００３】    杖の他に懐中電灯など照明器具を持つことは繁雑である。光源を簡便に持つことはできないか？杖はおおむね褐色であるから暗がりでの存在感に乏しい。白杖でも同じことが言える。解決策はないか？横断歩道歩行時の警告方法は？遭難時における救助信号に代わるものはないか？などを課題とした。
【課題を解決するための手段】
【０００４】    杖を光の透る堅固な素材で中空に成型し、長寿命で消費電力が少なく赤／白交互断続点灯可能な発光ダイオード（Ｒ／Ｗ  ＬＥＤ）モジュール、電池、切り換えスイッチ、赤／白交互断続点灯器を内蔵させて必要に応じ白色点灯、赤／白交互断続点灯することで、足もとの照明、杖の存在明示、横断歩道歩行時の警告、遭難時の救助信号に代わるもの、等の課題を解決した。
【発明の効果】
【０００５】    本発明は、上述のように構成されているので、次に記載する効果を奏する。
請求項１の、光の透る堅固な素材で中空に成型し発光ダイオードモジュールを内蔵させた歩行幇助用杖、登山・ハイキング用杖、視覚障害者用白杖は、点灯不必要時には何ら差し障りなく杖本来の用途を果たし、点灯すれば、未明、曇天、薄暮、夜間、建物の暗がりなどにおいて照明器具の役をすると同時に自らの存在を明示して他者の注意を喚起するなど危険防止に役立ち、赤／白交互断続点灯に切り換えれば、横断歩道歩行中には存在を明確にする警告光となり、遭難時には発見を容易にする信号灯になる、という効力を発した。
【発明を実施するための最良の形態】
【０００６】    発明の実施の形態について説明する。
杖は歩行幇助用杖、登山・ハイキング用杖、視覚障害者用白杖など夫々用途、好みによって色は異なるが、よく光を透す堅固な素材を用いて中空に成型し、杖の下部から、切り換えスイッチ、赤／白交互断続点灯器、赤／白発光ダイオード（Ｒ／Ｗ  ＬＥＤ）モジュールの順に挿入し、モジュール保護のクッションを入れてキャップで閉じ保護ゴムを被せる。電池は交換可能な把手部に収めキャップで閉じる。切り換えスイッチの操作ボタン又はバーは外から穴で繋ぐ。
(57)【要約】      （修正有）【課題】近視の進んだ者でも裸眼で視力回復の訓練ができ、かつ左右、遠近方向の動的な視力回復の訓練ができる視力回復訓練器を提供する。【解決手段】２本の弾力性のある棒１の端に、光沢のある玉２を付けた器具で、窓又は証明に背を向けた状態で、大の部分を両手で持ち２つの玉が目の高さになるようにし、寄り目によって生じる２つの玉の輝き部分（輝点）の中像増を注視する。こＭの状態でわずかに台を左右に揺らし玉に振り子運動させると中心像も左右に揺れ、これを目で追うことにより動的な焦点合わせの運動ができる。【選択図】図１
2006305252.tif 000002
【特許請求の範囲】
【請求項１】
２本の弾力性のある棒（１）の端に、光沢のある玉（２）を付けた視力回復訓練器。
【発明の詳細な説明】
【発明の詳細な説明】
【技術分野】
【０００１】  この発明は、２本の弾力性のある棒の先に、光沢のある玉を付けた視力回復訓練器に関するものである。
【背景技術】
【０００２】  従来、視力回復訓練方法としては、寄り目によって紙面上の左右の絵文字を重ねる方法や同じく寄り目によって立体像となる絵を見る方法がある。これらが焦点合わせの訓練として効果的でかつ安価な方法であることが広く知られている。
【発明が解決しようとする課題】
【０００３】  紙面上の絵などで視力回復訓練を行うとき、次の様な問題点があった。
絵を見るのに十分な照明が必要となる。
特に近視の進んだ者が裸眼で行うとき、絵が見え難く、ある程度矯正度数を下げた眼鏡が必要である。
また紙面上の絵は、静的なものであるので、左右の動きやあるいは前後（遠近）方向動きに対する視力の訓練ができない。
本発明は、以上の問題点を解決し、裸眼でも一般的な照明の部屋で、左右方向さらに遠近方向の視力の訓練が、簡便な器具によってできるようになされたものである。
【課題を解決する手段】
【０００４】  弾力性のある棒（１）の端に光沢のある玉（２）を取り付けたもの２式を台（３）に取り付けたものである。
【発明を実施するための最良の形態】
【０００５】  本発明を使用する場合は、窓または照明に背を向けた状態で、台の部分を両手で持ち２つの玉が目の高さになるようにし、寄り目によって生じる２つの玉の輝き部分（輝点）の中心像を注視する。この状態で台をわずかに左右に揺らし（無理に揺らさなくても自然に揺らぐ）玉に振り子運動をさせると、この中心像も左右に揺れることになる。この動きを目で追うことによって動的な焦点合わせの運動ができるものである。
本発明は、このような簡単な構造であることから、軽量で長時間手に持っても疲れず、また、玉の反射光に対して焦点を合わせるので、特に強い照明も必要なく、かつ近視の進んだ人でも裸眼で焦点を合わせの訓練ができる上、動的な視力の訓練ができるものである。
さらに、スライドが可能な中通しおもり（４）を棒に追加し左右の振り子の周期を少しずらすことにより、２つの玉の間隔を時間とともに変化させることができ、これにより遠近方向に対する動的な視力訓練が可能となる。
【図面の簡単な説明】
【図１】  本発明の斜視図
【図２】  中通しおもりを取り付けた場合の斜視図
【符号の説明】
（１）弾力性のある棒、（２）光沢のある玉、（３）台、（４）中通しおもり
【図１】
2006305252.tif 000003
【図２】
2006305252.tif 000004
(57)【要約】【課題】  建築現場で使用するための作業台を、現場で簡単に組み立てできる、軽量組立式作業台を提供する。【解決手段】  軽量のプラスチック形成材を用いて、作業台の正面と裏面に凹凸加工を施し、作業台の正面の右左に穴を貫通させ、その側面を、プラスチック形成材でふさぎ、作業台を密封空洞にし、作業台の組立部分は、雄部、雌部、各共通で組み立て切り込みを設け、接続部には凹構加工を施し、雄支持台と雌支持台をたてにクロス状に組み合わせた支持台をタスキ状に２対並べ、コンクリートパネル等を、天板に用いて、使うことを特徴とする。【選択図】図１
2006305711.tif 000002
【特許請求の範囲】
【請求項１】
軽量の、プラスチック形成材を用いて、作業台の正面と裏面に凹凸加工を施し、作業台の正面の右左に穴を貫通させ、その側面を、プラスチック形成材でふさぎ、作業台を密封空洞にし、作業台の組立部分は、雄部、雌部、各共通で組み立て切り込みを設け、接続部には、凹構加工を施し、雄支持台と雌支持台を、たてにクロス状に組み合わせた支持台を、タスキ状に２対並べコンクリートパネル等を天板に用いて、使うことを特徴とする軽量組立式作業台。
【発明の詳細な説明】
【技術分野】
【０００１】  本発明は、建築現場で、使用するための、作業台であって、現場で、簡単に組み立てできる、軽量組立式作業台に関するものである。
【背景技術】
【０００２】  従来の、作業台は、建築現場において、作業しようとする職人が、木材及び、コンクリートパネル等を用いて、一時的な作業台を作り，床，壁、天井材に関する石膏ボード及び、ベニヤ類等の建材を、必要な量だけを作業台に積み上げ、切断、加工の作業をしていた。
【発明の開示】
【発明が解決しようとする課題】
【０００３】  そのために次のような問題点があった。
（イ）現場で安易に製作されるため、積載荷重の設計がなされない。このため崩壊のおそれがあった。
（ロ）現場で一時的に使用する作業台であるため、現場の作業が終わると分解されて、廃材になっていた。このため不経済であった。
本発明は、以上の問題点を解決するためになされたものである。
【課題を解決するための手段】
【０００４】  軽量のプラスチック形成材を用いて、作業台の正面と裏面に凹凸加工を施し、作業台の正面の右左に穴を貫通させ、その側面をプラスチック形成材でふさぎ、作業台を密封空洞にし、作業台の組立部分は、雄部、雌部、各共通で組み立て切り込みを設ける。
接続部には、凹構加工を施し、雄支持台と雌支持台を、たてにクロス状に組み合わせた支持台をタスキ状に２対並べ、コンクリートパネル等を天板に用いて使う。
以上のように構成されたことを特徴とする軽量組立式作業台である。
【発明の効果】
【０００５】  作業台の材質の劣化がなくなり、何度でも使えて経済的である。
作業台の積載荷重の強化につながり、安心して作業が出来るようになる。
作業台の軽量化に共ない、作業台の分解と組み立てを迅速にできて、材質が軽量であるために、運搬が楽である。
身体への負担を軽減できる。
【発明を実施するための最良の形態】
【０００６】  以下、本発明の実施の形態について説明する。
（イ）プラスチック形成材からなる支持台（２）に、支持台雄部（２ａ）と支持台雌部（２ｂ）を組み合わせてなる。
（ロ）支持台（２）の中央より対称位置に穴（３）を設ける。
（ハ）支持台（２）の上辺の天板（１）の接地面に、スベリ止メのゴム（５ａ）を設け、支持台（２）の下辺の脚部（４）の接地面に、スベリ止メのゴム（５ｂ）を設ける。
（ニ）支持台（２）の正面中心部に、支持台雄部（２ａ）は下部に切り込み部（６）を設け、支持台雌部（２ｂ）は上部に切り込み部（６）を設ける。
（ホ）支持台（２）の正面中心部に、支持台雄部（２ａ）は上部に接続部（７）を設け、支持台雌部（２ｂ）は下部に接続部（７）を設ける。
（ヘ）支持台（２）の正面と裏面に溝部（８）を設ける。
（ト）支持台（２）の正面と裏面の間に、密封された空洞部（９）を設ける。
本発明は以上のような構造ある。
本発明を使用する時は、支持台雄部（２ａ）と支持台雌部（２ｂ）をクロスに組み合わせる。
組み合わせた支持台（２）を２対タスキ状になるように、天板（１）の内側に納まるように、平行に若干離して並べて、床の上に設置する。
その時の天板（１）は、建築資材による、コンクリートパネル程度の厚みが妥当である。
この結果、天板（１）にかかる積載荷重が全体に均等になり、より安定した作業が出来るようになる。
【図面の簡単な説明】
【０００７】
【図１】  本発明の使用状態を示した斜視図である。
【図２】  本発明の要部斜視図である。
【図３】  本発明の支持台雄部の正面図である。
【図４】  本発明の支持台雌部の正面図である。
【図５】  本発明の支持台の正面図である。
【図６】  本発明のＡ−Ａ′断面図である。
【符号の説明】
【０００８】  １  天板
２  支持台
３  穴
４  脚
５  ゴム
６  切り込み部
７  接続部
８  溝部
９  空洞部
【図１】
2006305711.tif 000003
【図２】
2006305711.tif 000004
【図３】
2006305711.tif 000005
【図４】
2006305711.tif 000006
【図５】
2006305711.tif 000007
【図６】
2006305711.tif 000008
(57)【要約】【課題】  非筆記時において、キャップを筆記具本体の尾端側外周面に装着する際に、筆記具本体の外周面にこすり傷ができることがなく、装着時のフィーリングも好ましい筆記具を提供する。【解決手段】  キャップを筆記具本体の尾端側に装着可能な筆記具において、キャップが装着される筆記具本体１０の尾端側外周面１０ａを緩やかなテーパー面にするとともに、キャップ本体２０の合口側内周面２０にエラストマーからなる環弾性部材２５を固着し、キャップの筆記具本体の尾端側への装着時において、この環状弾性部材を筆記具本体の尾端側外周の緩やかなテーパー面に嵌合させる。【選択図】  図２
2006305736.tif 000002
【特許請求の範囲】
【請求項１】
キャップを筆記具本体の尾端側に装着可能な筆記具において、
キャップが装着される筆記具本体の尾端側外周面が緩やかなテーパー面であるとともに、キャップ本体の合口側内周面にエラストマーからなる環状弾性部材が固着され、キャップの筆記具本体の尾端側への装着時において、該環状弾性部材が筆記具本体の尾端側外周の緩やかなテーパー面に嵌合することを特徴とする筆記具。
【発明の詳細な説明】
【技術分野】
【０００１】
本発明は、筆記時にキャップを筆記具本体の尾端側に装着可能な筆記具に関するものである。
【背景技術】
【０００２】
例えば万年筆のように水性インキを使用する筆記具は、非筆記時にインキの蒸発を防止するためにキャップでペン体を密封することが多いが、筆記時はキャップを筆記具本体の尾端側に装着すると、筆記終了時にキャップを探す必要がなく、使い勝手がよくて便利であるので、キャップを筆記具本体の尾端側に装着可能に設計されることが多い。このため、万年筆などにおいては、筆記具本体の尾端側外周面およびキャップ本体の合口側内周面を緩やかなテーパー面とし、テーパー面同士が嵌合して装着される構造が採用されることが多い。
【発明の開示】
【発明が解決しようとする課題】
【０００３】
万年筆などの筆記具においては、筆記具本体とキャップ本体がアクリル樹脂などで成形されることが多いが、前述のテーパー面同士が嵌合する筆記具においては、キャップを筆記具本体の尾端側に装着したり取り外すときに筆記具本体の外周面とキャップ本体の内周面とが相対的に摺動するので筆記具本体の外周面にこすり傷ができやすい。ことに、キャップを筆記具本体の尾端側に差し込むときや引き抜くときに、キャップを少し回転させながら差し込んだり引き抜く傾向があるが、筆記具本体やキャップ本体の真円度が不十分であると、回転に伴いこすり傷が発生しやすい。そして、筆記具本体の外周面にこすり傷ができると、外見上著しく見苦しくなる不具合がある。ことに超高級な万年筆などにおいては、筆記具本体の外周面に蒔絵などを施すことがあるが、この場合は外周面が平滑でないのでキャップの装着や取り外し時にこすり傷ができやすく、超高級万年筆においてはこのこすり傷は致命的な欠陥になる。また、装着時に筆記具本体とキャップ本体の合成樹脂同士がこすり合わされるので、キャップ装着のフィーリングが好ましくない不具合がある。そして、合成樹脂同士の嵌合では摩擦抵抗が小さく、キャップが筆記具本体の尾端から不意に脱落することがある。
【０００４】
そこで本発明は、非筆記時において、キャップを筆記具本体の尾端側外周面に装着する際に、筆記具本体の外周面にこすり傷ができることがなく、装着時のフィーリングも好ましい筆記具を提供することを目的とする。
【課題を解決するための手段】
【０００５】
かかる目的を達成するために、本発明は、キャップを筆記具本体の尾端側に装着可能な筆記具において、キャップが装着される筆記具本体の尾端側外周面を緩やかなテーパー面にするとともに、キャップ本体の合口側内周面にエラストマーからなる環状弾性部材を固着し、キャップの筆記具本体の尾端側への装着時において、この環状弾性部材を筆記具本体の尾端側外周の緩やかなテーパー面に嵌合させる。
【発明の効果】
【０００６】
キャップを筆記具本体の尾端側へ装着する時、エラストマーからなる環状弾性部材が筆記具本体の尾端側外周の緩やかなテーパー面に摺動しながら嵌合するので、筆記具本体の外周面にこすり傷ができることがなく、また、装着時のフィーリングも好ましい筆記具とすることができる。そして、エラストマーからなる環状弾性部材は合成樹脂からなる筆記具本体の外周面との摩擦抵抗が大きいので、キャップが筆記具本体の尾端から不意に脱落することもない。
【発明を実施するための最良の形態】
【０００７】
図面は万年筆に本発明を適用した例を示すが、図１において、筆記具本体１０はアクリル樹脂にて略有底筒状に成形されたものであり、尾端側外周面１０ａは緩やかなテーパー面になつている。筆記具本体１０の先端開口には先口１２が固着され、先口１２からペン体１３が突出している。また、筆記具本体１０の先端にねじ溝１１が形成されている。筆記具本体１０内には図示しないインキカートリッジが収容されており、インキカートリッジ内の水性インキがペン体１３に供給されて筆記に供される。
【０００８】
キャップ本体２０もアクリル樹脂で筒状に成形されたものであり、合口側内周面２０ａも緩やかなテーパー面であり、その先端にはねじ溝２４が形成されている。また、合口側内周面２０ａには環状の凹溝が形成されており、この凹溝にオレフィン系のエラストマーで成形された環状弾性部材２５が嵌め込まれ状態で固着されている。環状弾性部材２５の表面は、自由状態において合口側内周面２０ａよりも少し突出している。キャップ本体２０内には内キャップ２３が配置されている。また、クリップ２２が尾栓２１によってキャップ本体２０に固定されている。
【０００９】
非筆記時においては、図１に示すように、筆記具本体１０のねじ溝１とキャップ本体２０のねじ溝２４を螺合すると、内キャップ２３の先端縁が先口１２の先端面１２ａに衝合してペン体１３を密封し、インキの蒸発を防止する。
次に、筆記するときはキャップを取り外し、図２に示すように、筆記具本体１０の尾端側に差し込むと、尾端側外周面１０ａに環状弾性部材２５が摺動して嵌着される。このとき、環状弾性部材２５がエラストマーで成形されているので、筆記具本体１０やキャップ本体２０の真円度が十分でなく、また、また少しキャップを回転するようにして押し込んでも、筆記具本体１０の尾端側外周面１０ａにこすり傷ができることかない。また、アクリル樹脂などの合成樹脂同士が摺動する場合に比べて、装着時のフィーリングが良好である。そして、尾端側外周面１０ａと環状弾性部材２５との摩擦抵抗も大きいので嵌着力も大きくなってキャップか不意に脱落することも防止することができる。
【図面の簡単な説明】
【００１０】
【図１】本発明実施例の非筆記時における一部を切り欠いた正面図である。
【図２】本発明実施例の筆記時における一部を切り欠いた正面図である。
【符号の説明】
【００１１】
１０    筆記具本体
１０ａ    尾端側外周面
１１    ねじ溝
１２    先口
１３    ペン体
２０    キャップ本体
２０ａ    合口側内周面
２１    尾栓
２２    クリップ
２３    内キャップ
２４    ねじ溝
２５    環状弾性部材
【図１】
2006305736.tif 000003
【図２】
2006305736.tif 000004
(57)【要約】【課題】書類等を挟持するためのクリップ金具を備えたレバーファイルにおいて、書類等をファイル表紙から離してページをめくり易くするとともに、左開き書類でも右開き書類でも表紙をおもてにして書類を見ることができるようにする。【解決手段】書類等をレバーによって基台と押さえ金との間に挟持するクリップ金具を備えたレバーファイルにおいて、前記クリップ金具を前記基台の一端に形成した直立板側の長手方向を回動の軸として回動自在となるようにファイル表紙に取り付ける。【選択図】  図１
2006305973.tif 000002
【特許請求の範囲】
【請求項１】
書類等をレバーによって基台と押さえ金との間に挟持して綴じるクリップ金具を備えたレバーファイルにおいて前記クリップ金具を前記基台の一端に前記レバー及び前記押さえ金を回動自在に保持するために形成された直立板側においてその長手方向を回動運動の軸として回動自在となるようにファイル表紙に取り付けたことを特徴とするレバーファイル。
【発明の詳細な説明】
【技術分野】
【０００１】
本発明は書類等をパンチ穴をあけないでファイルするためのレバー式のクリップ金具を備えたレバーファイルに関するものである。
【背景技術】
【０００２】
従来、書類等を整理、保管するためのファイルには、書類等にパンチ穴をあけて綴じる方式と書類等にパンチ穴をあけないで綴じる方式とがあり、書類等にパンチ穴をあけない方式にはファイル表紙にレバー式のクリップ金具を固定し、このクリップ金具に書類等を挟持して綴じるレバーファイルがある。
【特許文献１】特開２００３−３３５０８７号公報
【発明の開示】
【発明が解決しようとする課題】
【０００３】
従来のレバーファイルは書類にパンチ穴をあけないで綴じることができるため、、書類等を傷つけることがなく且つ簡単に綴じることができると言う利点があるが、クリップ金具がファイル表紙に固定されているため、書類等を押さえ金で押圧して基台との間に挟持した時、書類等がファイル表紙に押さえ付けられるため、書類をクリップ金具に挟持したままま書類の内容を読む場合、書類がめくりにくかった。このことは比較的紙質の硬い良質な書類では特に顕著であり又、紙の両面に記載された書類では裏面に記載された内容を書類をめくって読むのも面倒だった。更に前記クリップ金具は一般に左開き(左綴じ)の書類を綴じることを想定してファイル表紙内側に固定されているため、例えば縦書き文書のように右開き(右綴じ)の書類を前記クリップ金具に挟持した場合、書類の表紙側がうつ伏せの状態でファイル表紙内側に押し付けられてしまうため、書類をクリップ金具に挟持したまま書類の表紙に書かれた書類名を見つけて書類を検索するのも面倒で且つ表紙側をおもてにして書類の内容を読むのが困難であると言う問題があった。
本発明は以上のような問題を解決するためになされたものである。
【課題を解決するための手段】
【０００４】
書類等をレバーによって基台と押さえ金との間に挟持して綴じるクリップ金具を備えたレバーファイルにおいて、前記クリップ金具を前記基台の一端に前記レバー及び前記押さえ金を回動自在に保持するために形成された直立板側においてその長手方向を回動の軸として回動自在となるようにァイル表紙に取り付ける。
【発明の効果】
【０００５】
本発明によれば、レバーファイルに綴じた書類等をめくってその内容を読む場合に書類等をファイル表紙から離してめくることが出来るため、書類が読み易く、また左開きの書類も右開きの書類もどちらもおもて側を上にして読むことが出来る。
【発明を実施するための最良の形態】
【０００６】
以下図面を追って本発明の実施の形態を説明する。
【実施例１】
【０００７】
図１は本発明の第１の実施例の斜視図であり、以下のように構成される。
(イ)軸受(４)に回動自在に取り付けられたコ字型の軸(３)をクリップ金具(A)の基台(１)の長手方向の一端部にレバー(５)及び押さえ金(６)を回動自在に保持するために形成された直立板(２)の側面の長手方向に沿って基台(１)と平行に取り付ける。
(ロ)前記軸受(４)をファイル表紙(７)の背部(８)の内側に背部(８)の長手方向の中心線と軸(３)とが一致するように取り付ける。
これを使用する時は、レバー(５)を持ち上げて押さえ金(６)を引き上げ、基台(１)と押さえ金(６)との隙間に書類等を差込み、次いでレバー(５)を押し下げて押さえ金(６)で書類を押圧し基台(１)との間に挟持する。
そして、書類をめくって書類の内容を読む時は、書類を持って起こせばクリップ金具(A)は軸(３)を中心にして書類を挟持したまま反転するので書類をファイル表紙(７)から離して自由にページをめくることが出来る。
【実施例２】
【０００８】
図３は本発明の第２の実施例の斜視図である。この実施例では軸(３)は直線状であり軸受(４)に回動自在に取り付けられ、更に直立板(２)の側面に軸受(４)に向けて直角に形成された支持板(９a)及び(９b)に取り付けられている。
【実施例３】
【０００９】
図４は第３の実施例の斜視図である。この実施例では、背部(８)に取り付けられた逆U字型のアーチ(１１a)及び(１１b)に直立板(２)の側面に形成した掛け板(１０a)及び(１０b)をアーチ(１１a)及びアーチ(１１b)に沿って移動自在に取り付けてある。
【図面の簡単な説明】
【００１０】
【図１】は第１の実施例の斜視図
【図２】は第１の実施例の平面図
【図３】は第２の実施例の斜視図
【図４】は第３の実施例の斜視図
【符号の説明】
【００１１】
１  基台
２  直立板
３  軸
４  軸受
５  レバー
６  押さえ金
７  ファイル表紙
８  背部
９ａ  支持板
９ｂ  支持板
１０ａ  掛け板
１０ｂ  掛け板
１１ａ  アーチ
１１ｂ  アーチ
【図１】
2006305973.tif 000003
【図２】
2006305973.tif 000004
【図３】
2006305973.tif 000005
【図４】
2006305973.tif 000006
(57)【要約】【課題】  たわしの毛先が有する力を有効に活用して汚れを効率良く落とす、隅部を洗い易くする、たわしを掴む指先への感触をやさしくする、そしてたわしの体裁をおしゃれにするたわし用バンドを提供する。【解決手段】  たわしの縛り部材に沿った外周全体を包み込みたわしの毛をしっかりと拘束する程度の長さを有し、且つ、たわしの両側毛先が露出する程度で、たわしの毛の起立状態を支持する程度の幅を有し、部材は伸縮性弾力性を備えていることを特徴とするたわし用バンド。【選択図】図１
2006305331.tif 000002
【特許請求の範囲】
【請求項１】
たわしの縛り部材に沿った外周全体を包み込みたわしの毛をしっかりと拘束する程度の長さを有し、且つ、たわしの両側毛先が露出する程度で、たわしの毛の起立状態を支持する程度の幅を有したことを特徴とするたわし用バンド。
【請求項２】
バンド両端部に固定用穴部を設けたことを特徴とする請求項１記載のたわし用バンド。
【請求項３】
バンドに突起部を設けたことを特徴とする請求項１あるいは請求項２記載のたわし用バンド。
【発明の詳細な説明】
【技術分野】
【０００１】  本発明は、台所や浴室等で使用するたわしの毛先が汚れを効率よく落とすことを目的とし、たわしに装着して使用する伸縮性弾力性を備えたたわし用バンドに関するものである。
【背景技術】
【０００２】  従来たわしを束ねている縛り部材は細い縄だけであったため拘束力は毛先まで及ばず、汚れを落とすため加える力で毛はバラバラの方向に倒れてしまい、毛先だけが有する汚れをかき落とす力こそげる力バウンド力が有効に活用できず汚れを落とす力が弱かった。【０００３】  その他従来のたわしの構造上の欠点として水や汚れの撥ね（特許文献１参照）使用時の感触の悪さ体裁の悪さがあった。
【特許文献１】  実開昭６１−１１２７５９号公報
【発明の開示】
【発明が解決しようとする課題】
【０００４】  たわしの毛のへたり現象を防ぎ、毛先だけが有する汚れをかき落とす力こそげる力バウンド力を有効に活用できるようにすると共に使用時の指先への感触の改善、体裁をおしゃれにすることである。
【課題を解決するための手段】
【０００５】  たわしの縛り部材に沿った外周全体を包み込みたわしの毛をしっかりと拘束する程度の長さを有し、且つ、たわしの両側毛先が露出する程度で、たわしの毛の起立状態を支持する程度の幅を有し、材質は伸縮性弾力性を備えたものを使用する。以上を特徴とするたわし用バンド。
【発明の効果】
【０００６】  本発明を装着することにより、たわしの毛のへたり現象が大幅に解消され毛先は本来の汚れをかき落とす力こそげる力バウンド力を十分に発揮できるため汚れは効率よく落とすことが可能となりたわしの形崩れも大幅に減少する。【０００７】  本発明で拘束されたたわしは、外側の毛が不必要に広がることが無くなるので、従来たわしが苦手としていた隅部も洗い易くなる。【０００８】  該たわしバンドが備えた弾力性により、使用時のたわしのガサガサした硬い感触から指先をやさしく保護することができるため、長時間使用しても指先を傷めたり爪を損なうこともなく、指先にフィットするので掴む力の弱い高齢者にも使い易い。
【発明を実施するための最良の形態】
【０００９】  以下、本発明の実施の形態を図１から図４に基づいて詳細に説明する。【００１０】  図１は本発明の実施例１を示す平面図である。
バンド（３）の長さおよび幅は、たわしの毛先が最も効率よく汚れを落とすのに適した長さに設定する。【００１１】  図２はバンド（３）に図柄を描き入れた実施例２を示す平面図である。
バンド（３）に図柄・ロゴを描くことにより、たわしはおしゃれになったり、イベント等で宣伝用に利用することが可能になる。【００１２】  図３はバンド（３）に指先のマッサージ効果を目的とした突起部（５）を設け、バンド両端に設けた穴部（４）と共に穴部（４ａ）を設けた実施例３を示す平面図である。
穴部（４ａ）を利用して固定することにより、毛の拘束力は強まるのでひどい汚れを落とす時に使用すると便利である。【００１３】  図４は本発明の使用例を示す斜視図である。たわし（１）の針金の輪部（２）にバンド（３）の両端穴部（４）をはめ込み固定し使用する。
【図面の簡単な説明】
【００１４】
【図１】  実施例１を示す平面図である。
【図２】  実施例２を示す平面図である。
【図３】  実施例３を示す平面図である。
【図４】  本発明使用例を示す斜視図である。
【符号の説明】
【００１５】    １          たわし
２          たわしの毛を捕捉している針金の輪部
３          たわし用バンド
４  ４ａ    たわし用バンドの装着用穴部
５          突起部
６          図柄
７          たわし用バンドの両端部
【図１】
2006305331.tif 000003
【図２】
2006305331.tif 000004
【図３】
2006305331.tif 000005
【図４】
2006305331.tif 000006
(57)【要約】【課題】  カッターナイフの替え刃は繰り出し式のため、細長くできており、使い方によっては危険性があり、また一本の替え刃を何度か、折って切断する手間が必要である。【解決手段】  替え刃を形成する全ての辺は刃を設けている部分と刃を設けていない部分により一辺をなす形状として、一枚の替え刃で別の辺の刃と入れ替えて使用できる替え刃式ナイフ。【選択図】図１
2006305305.tif 000002
【特許請求の範囲】
【請求項１】
替え刃式ナイフの替え刃として三角形型替え刃、四角形型替え刃、五角形型替え刃および六角形型替え刃を使用でき、前記替え刃を形成する全ての辺は、刃を設けた部分と刃を設けていない部分により一辺を成すことを特徴とする替え刃式ナイフ。
【請求項２】
替え刃収納室の中に収納された前記替え刃を形成する辺に刃を設けていない部分の面は、前記替え刃収納室の側面と面接触すること特徴とする請求項１に記載の替え刃式ナイフ。
【請求項３】
前記替え刃収納室に前記替え刃を収納すると、前記替え刃収納室に設けられた開口部より、前記替え刃の一部は前記替え刃収納室より外側に露出することを特徴とする請求項１および請求項２に記載の替え刃式ナイフ。
【請求項４】
前記替え刃収納室の底面に設けてある突起部を、前記替え刃に設けた替え刃位置合わせ穴に嵌めこむことができることを特徴とする請求項１および請求項２に記載の替え刃式ナイフ。
【請求項５】
前記替え刃収納室に前記替え刃を収納し、替え刃カバーの内側に替え刃ホルダーを挿入すると、前記替え刃カバーに装着されている押付バネにより、前記替え刃が前記替え刃収納室の下方へ押圧されることを特徴とする請求項１および請求項２に記載の替え刃式ナイフ。
【発明の詳細な説明】
【技術分野】
【０００１】  本発明は、替え刃の交換の容易さと、安全性を図った替え刃式ナイフに関する。
【背景技術】
【０００２】  カッターナイフでは、刃先を用いて紙などを切断し、任意の形に切り取る場合に用いる繰り出し式ナイフで、一枚の替え刀を何度か折って切断し使用する。【０００３】  また、一般用の小刃や大型刃、アート刃、その他プラスチック切断用など多種のものがある。
【発明の開示】
【発明が解決しようとする課題】
【０００４】  カッターナイフの替え刃は繰り出し式のため、替え刃が細長く出来ており、使い方によっては危険性があり、また一枚の替え刃を何度か折って切断するために、その手間が必要である。【０００５】  本発明は、このような従来の構成していた問題を解決しようとするものであり、替え刃の形状を危険性の少ないものにし、替え刃を切断する手間を必要としない替え刃式ナイフを実現することを目的とするものである。
【課題を解決するための手段】
【０００６】  そして、本発明は上記の目的を達成するためにカッターナイフの替え刃で、折って切断する細長い形状でなく、一枚の替え刃の各辺に刃を持った形状として、使用して切れなくなったら、同じ一枚の替え刃のうち、未使用の辺の刃と入れ替えるだけで、替え刃として使用できるようにし、一枚の替え刃のすべての辺の刃を替え刃とすることが出来るようにし、全部の辺の刃が使用し終えたら、新しい替え刃と交換する替え刃式ナイフである。【０００７】  また、替え刃は三角形型、四角形型、五角形型、六角形型、その他多角形型の形状の替え刃を用意することで多種の用途に提供できる。
【発明の効果】
【０００８】  上述したように、本発明の替え刃式ナイフは、替え刃が細長い形状をでないために、取り扱いによる危険性が少なくなる。【０００９】  また、替え刃を折って切断することなく、一枚の替え刃で、他の辺の刃と入れ替えるだけで使用できるため、手間が少ない替え刃を提供できる。
【発明の実現するための最良の形態】
【００１０】  以下、本発明の実施の形態を図１から図８により説明する。
【００１１】  四角形型替え刃５を用いた替え刃式ナイフについて説明する。図に於いて、替え刃ホルダー１には、替え刃収納室３が設けられていて、その中に、四角形型替え刃５を入れる。その際に、位置合わせ穴９へ突起部４を合わせて、替え刃収納室３に収めると、図２のごとくの替え刃ホルダー１に組み立てられる。その状態の替え刃ホルダー１を図３の替え刃カバー２の内側に差し込むと、図１の四角形型替え刃式ナイフに組み立てられる。そのとき、噛合い歯６と圧着バネ７とは接合し、噛み合うようにさせて組み立てる。
また、替え刃カバー２の内側には四角形型替え刃５を替え刃収納室３へ押付けるための、押し付け８バネが設けられている。
替え刃は各種の使用目的のために、四角形型替え刃５の他に、三角形型替え刃１０、五角形型替え刃１１、六角形型替え刃１２を提供できる。又それらの替え刃を収納した替え刃収納室は、図６、図７、図８である。そのほかに多角形型替え刃も提供できる
【００１２】  以下、上記構成の役割を説明する。
図１の替え刃式ナイフにより，材料を切断や任意の形に加工作業するため、替え刃ナイフの刃先の出具合を調整するには、替え刃ホルダー１を持って替え刃カバー２を摺動させると、噛み合い歯６と圧着バネ７とが接合しているスライド機構で摺動、停止ができ、また固定させる機能を持つ。また、替え刃式ナイフの作業が終了時には、替え刃カバー２をスライドさせて、替え刃の刃全体を塞ぐ位置で固定させる。又、替え刃を行うときは替え刃カバー２を替え刃ホルダー１から抜くと、四角形型替え刃５が現れるので四角形型替え刃５を取り外して、別の辺の新しい刃か新しい替え刃に取り替えれば良い。
【００１３】  以上のように、実施形態によれば、替え刃の切断作業がないために危険性が少なく、手間のかからない替え刃式ナイフが得られるものである。また各辺にある刃を他の辺の刃と位置を入れ替えて、替え刃収納室に収めるだけで容易に替え刃作業が出来る。替え刃収納室に収納した替え刃を形成する辺に刃が設けられていない部分の面は、替え刃収納室の側面と面接触するようになることで替え刃が収まり良く収納でき、また刃先の損傷するの軽減できる。これらの事は三角形型替え刃，四角形型替え刃、五角形型替え刃、六角形型替え刃やその他多角形型替え刃に於いても同様である。
【図面の簡単な説明】
【００１４】
【図１】四角形型替え刃式ナイフの組み立て外観図
【図２】四角形型替え刃ホルダーの外観図
【図３】四角形型替え刃カバー外観図
【図４】四角形型替え刃収納室外観図
【図５】四角形型替え刃外観図
【図６】三角形型替え刃と同収納室外観図
【図７】五角形型替え刃と同収納室外観図
【図８】六角形型替え刃と同収納室外観図
【符号の説明】
【００１５】      １  替え刃ホルダー
２  替え刃カバー
３  替え刃収納室
４  突起部
５  四角形型替え刃
６  噛み合い歯
７  圧着バネ
８  押付バネ
９  替え刃位置合わせ穴
１０  三角形型替え刃
１１  五角形型替え刃
１２  六角形型替え刃
【図１】
2006305305.tif 000003
【図２】
2006305305.tif 000004
【図３】
2006305305.tif 000005
【図４】
2006305305.tif 000006
【図５】
2006305305.tif 000007
【図６】
2006305305.tif 000008
【図７】
2006305305.tif 000009
【図８】
2006305305.tif 000010
(57)【要約】      （修正有）【課題】  耐荷重性の有る電柱用支線バンドを提供する。【解決手段】  尾端側を直接又は間接的に互いに接続した一対のバンド片１，１を、電柱Ｄに巻回する主体部片１０と該主体部片１０の基端側に連設した緊締受部片５とで構成し、該バンド片１の、互いに相対する前記緊締受部片５，５間に緊締ボルト７をわたして電柱Ｄに締付け、しかも、緊締ボルト７に支線１３の上端を接続するようにする。そして、前記バンド片１の、前記主体部片１０の両側に補強部片１１を相対するようにして設け、該補強部片１１の前記電柱の周側面との接触縁１１ａ´にリブ１２を設ける。【選択図】図１
2006271025.tif 000002
【特許請求の範囲】
【請求項１】
尾端側を直接又は間接的に互いに接続した一対のバンド片を、電柱に巻回する主体部片と該主体部片の基端側に連設した緊締受部片とで構成し、該バンド片の、互いに相対する前記緊締受部片間に緊締ボルトをわたして電柱に締付け、しかも、緊締ボルトに支線の上端を接続するようにした電柱用支線バンドにおいて、前記バンド片の、前記主体部片の両側に補強部片を相対するようにして設け、該補強部片の前記電柱の周側面との接触縁にリブを設けた電柱用支線バンド。
【発明の詳細な説明】
【技術分野】
【０００１】
本発明は、一方側にのみ風圧力等に因る電線張力がかかる引留柱や左右の柱間差等の不均衡な荷重が負荷する通し柱の倒伏を防ぐためにこれら電柱に上端を接続して用いる支線の、上端を前記電柱に取付けるために用いる支線バンドに関するものである。
【背景技術】
【０００２】
概し、尾端側を補助バンド片に重合して接続ボルトで接続した一対のバンド片の先端側に設けた緊締受片に緊締ボルトをわたして電柱に締付け、概緊締ボルトに、概し、シンブルを用いて支線の上端を接続するようにした構造のものがある（所謂三片式のものであるが、補助バンド片を省略した二片式のものもある）。
【発明の開示】
【発明が解決しようとする課題】
【０００３】
前記の支線は直立する電柱に対し斜め方向に荷重を負荷し、このためバンド片のずり下がり方向の荷重に対する抵抗を大きくし、かつ、該抵抗に耐え得るだけの強度をバンド片に施す必要があるが、本発明はその解決策の一つとして提案するものである。
【課題を解決するための手段】
【０００４】
尾端側を直接又は間接的に互いに接続した一対のバンド片を、電柱に巻回する主体部片と該主体部片の基端側に連設した緊締受部片とで構成し、該バンド片の、互いに相対する前記緊締受部片間に緊締ボルトをわたして電柱に締付け、しかも、緊締ボルトに支線の上端を接続するようにした電柱用支線バンドにおいて、前記バンド片の、前記主体部片の両側に補強部片を相対するようにして設け、該補強部片の前記電柱の周側面との接触縁にリブを設けた構成としたものである。
【発明の効果】
【０００５】
本発明によれば、支線の荷重が負荷する部分側の主体部片の基部側が、上下に位置することになる補強部片（２条の）によって電柱面に接触するから前記荷重に対する抵抗が大きくなってずり下がり方向の荷重に可及的に耐えることができ、また、当該部分の接触縁にリブが設けてあるので、前記荷重によって生じる補強部片に対する折り曲げ方向の外力対しても耐えられ、総じて支線に因る張力にも耐え得る電柱用支線バンドを提供できる。
【実施例】
【０００６】
図面は本発明に係る電柱用支線バンドの一実施例を示し、図１は一部欠截平面図、図２は一部拡大正面図である。
【０００７】
実施例の電柱用支線バンドＡは、一対のバンド片１，１の尾端側に列設した透孔の適宜のものを、補助バンド片２の両端部に列設した透孔の適宜のものと一致させ、これらに接続ボルト３を貫通させて、該接続ボルト３に接続ナット４を螺合して、前記一対のバンド片１，１を前記補助バンド片２を介して互いに接続する一方、バンド片１，１の基端側に電柱Ｄの外方向にして突設して相対する緊締受部片５，５に設けた貫通孔６に緊締ボルト７を貫通させて前記緊締受部片５，５間にわたし、一方の貫通孔６より突出する該緊締ボルト７の先端に緊締ナット８を螺合して締付けて電柱Ｄに巻回したものである。
【０００８】
前記バンド片１は、電柱Ｄの周面の円弧形と同様の円弧状の主体部片１０の基端側を、電柱Ｄより突出する方向（電柱Ｄの外方向）に屈曲して前記緊締受部片５を設けると共に、前記主体部片１０からこの緊締受部片５にかけて、該部片１０，５の板厚方向に対して交叉する方向にして補強部片１１を設けて構成したものである。
【０００９】
補強部片１１は、主体部片１０の基部の相対する両側から緊締受部片５の周端に連続的に屈曲して（搾り加工して）主体部片１０乃至緊締受部片５に対していわば起立状に配したもので、主体部片１０の基部側の補強部片部分１１ａ，１１ａの、主体部片１０の内面（片面）１０´から連続する端縁を主体部片１０の前記円弧形に平面視ほぼ連続する円弧状の接触（圧接）縁１１ａ´とし、この接触縁１１ａ´を構成する前記補強部片部分１１ａには電柱Ｄ周面と交叉するリブ１２を設けて、該部分１１ａを凹凸状にしたものである。
【００１０】
しかして、補助バンド片２を介して互いに接続したバンド片１，１の緊締受部片５に設けた貫通孔６に貫通させて緊締ボルト７をバンド片１，１（緊締受片５）に組付ける際、該ボルト７を貫通させるようにしてシンブル９を組付け、このシンブル９に支線１３を接続して、電柱用支線バンドＡとして供するのである。
【００１１】
なお、実施例は三片式のバンドを示すが、四片式の電柱用支線バンドにも本発明は適用できる。
【図面の簡単な説明】
【００１２】
【図１】一部欠截平面図。
【図２】一部拡大正面図。
【符号の説明】
【００１３】
１          バンド片
５          緊締受部片
７          緊締ボルト
１０        主体部片
１１        補強部片
１１ａ´    接触縁
１２        リブ
【図１】
2006271025.tif 000003
【図２】
2006271025.tif 000004